(57)【特許請求の範囲】
【請求項１】
前面を開放したケーシングの開放部を冷気のエアカーテンで覆って庫内を保冷すると共に、ケーシングの前面下部に、略全幅に亘って形成された手摺りレールを有するショーケースにおいて、
前記手摺りレールの平坦傾斜部の上部に、平坦傾斜部を覆う薄板状の透明弾性板の上端を着脱自在に挿着する下方向に開口した溝状の挟持部を備え、当該挟持部の溝内部下側に、前記透明弾性板の上端を上向きに曲げて挟持させる突起部を形成するとともに、
前記平坦傾斜部下端に、前記挟持部に前記透明弾性板の上端を挿着した状態で前記弾性透明板の下端を当接させる段差部を設けることを特徴とするショーケース。
【発明の詳細な説明】
【０００１】
【発明の属する技術分野】
本発明は、手摺りレールに商品カードを取り付けるのに好適な構造を持つショーケースに関する。
【０００２】
【従来の技術】
スーパーマーケットなどの商品販売店では、冷凍食品や生鮮食品等の陳列に、ケーシング前面を開放し、その開放部を冷気のエアカーテンで覆って庫内を保冷する多段式のショーケースが広く用いられている。
【０００３】
この様なショーケースにおいては、ケースの中で最も販売量が期待できる床デッキ部の陳列商品に対して、その商品を案内するために、手摺りレール部分に商品の販促表示や価格表示をするためのカード（以下、商品カードと呼ぶ）を取り付けることが行われている。従来、この商品カードをショーケースの手摺りレールに取り付けるための手段として、裏面が粘着シールになっている商品カードを、直接手摺りレールの平坦傾斜部に貼着する方法があったが、この方法だと商品カードを剥かした時、粘着剤が手摺りレールに残ってしまう欠点があった。そこで、商品カードを直接手摺りレールの平坦傾斜部に貼らない手段として、図４に示すように、商品カードを挟んで取り付けるプライスカードレール２２を、ビスや両面粘着テープで手摺りレール２１に固定したり、図５に示すように、プライスカードレール２３の裏面に帯状の磁石２４を取り付け、手摺りレール２１に固定するものが提案されている。
【０００４】
【発明が解決しようとする課題】
しかしながら、前者のビスや両面粘着テープでプライスカードレールを手摺りレールに固定した場合、プライスカードレールが手摺りレールより容易に着脱できないため、清掃の邪魔となって、ゴミが溜まりやすかった。また、後者の磁石によるプライスカードレールの手摺りレールへの固定は、手摺りレールの材質が磁石に着くものに限定されてしまうという欠点があった。また、両者とも、使用する商品カードの幅によっては、商品カードを一旦薄い透明プラスチック板等に貼ってからプライスカードレールに取り付けねばならず、手間がかかるという欠点があった。更に、前記した全ての商品カードの手摺りレールへの取り付け方法は、水がかかった場合、商品カードが水に濡れてしまうという欠点があった。
【０００５】
本発明は、上記の欠点に鑑み創案されたもので、清掃が簡単にでき、手摺りレールの材質に影響されず、商品カードの幅が限定されず、一旦薄い透明プラスチック板等に貼り付ける必要がないと共に、水がかからないようにすることができる安価なショーケースを提供することを目的とする。
【０００６】
【課題を解決するための手段】
上記の課題を解決するため、本発明においては、前面を開放したケーシングの開放部を冷気のエアカーテンで覆って庫内を保冷すると共に、ケーシングの前面下部に、略全幅に亘って形成された手摺りレールを有するショーケースにおいて、前記手摺りレールの平坦傾斜部の上部に、平坦傾斜部を覆う薄板状の透明弾性板の上端を着脱自在に挿着する下方向に開口した溝状の挟持部を備え、当該挟持部の溝内部下側に、前記透明弾性板の上端を上向きに曲げて挟持させる突起部を形成するとともに、前記平坦傾斜部下端に、前記挟持部に前記透明弾性板の上端を挿着した状態で前記弾性透明板の下端を当接させる段差部を設けることを特徴とする。
【０００７】
上記の構成を採用したことにより、商品カードを手摺りレールに挿着された薄板状の透明弾性板の下に入れて敷設することができ、或いはこの薄板状の透明弾性板の上に貼着することができる。そして、溝状の挟持部には、溝内部下側に突起部を形成してあるので、挿着した時、透明弾性板の上端が上向きに挟持され、このため透明弾性板の下端が下向きに押さえつけられるので、見栄えのよい商品カードの取付ができる。
【０００８】
【発明の実施の形態】
以下、本発明の好ましい実施の形態を図面に基づいて説明する。図１は本発明が適用されるオープンショーケースの正面図、図２は同じくオープンショーケースの断面側面図、図３は本発明の手摺りレール部の商品カード取付構造を示す断面側面図である。
【０００９】
図１及び図２において、冷凍食品や生鮮食品等の商品を低温に保って収納・陳列するオープンショーケース１は、前面が開放されており、上部の天井部２ａ、背面を覆う背面部２ｂ、下部の底面部２ｃ、前面下部を覆う下部前面部２ｄ及び両側面を覆う側面部２ｅ，２ｆに、断熱材を充填して、ケーシング２が一体に形成され、これら各部と内部パネル３との間に冷気を循環させるダクト４が設けられている。
【００１０】
前記ケーシング２の上部前側位置には、内部パネル３の天板３ａに、冷気をエアカーテンとして下方に整流して吹き出すハニカム状の吹出口５が設けられ、オープンショーケース１内に吹き出された冷気は、下部前面部２ｄの手摺りレール６の後部の吸込口７からダクト４内に導かれる。また、下部のダクト４内には、前記吸込口７から取り入れた空気を送風するファン（図示せず）と、該ファンから送られた空気を冷却する蒸発器（図示せず）が設けられ、冷気はファンによりダクト４内を通って吹出口５から吹き出され、この冷気の循環によって、オープンショーケース１内の陳列棚８，８・・・や床デッキ部９に載置された商品を保冷している。
【００１１】
そして、本発明は、図３に示すように、ケーシング２の前面下部に、略全幅に亘って形成された手摺りレール６の平坦傾斜部６ａの上部に、溝状の挟持部を形成し、該挟持部６ｂに平坦傾斜部６ａを覆う薄板状の透明弾性板１０の上端を着脱自在に挿着している。前記溝状の挟持部６ｂには、溝内部下側に、透明弾性板１０の上端を上向きに曲げて挟持させる突起部６ｃが形成されていて、このため透明弾性板１０の下端側が下向きに押さえつけられるようになって取り付けられる。本実施の形態では、手摺りレール６の平坦傾斜部６ａ下端が段差部６ｄとなっていて、透明弾性板１０の下端が、ちょうどこの段差部６ｄに当接するようになっている。なお、手摺りレール６の挟持部６ｂへの透明弾性板１０の挿着は、強制的に押し込むので、透明弾性板１０の上端が、突起部６ｃによって、上に向くように曲げられ（即ち、上向きに撓んで）、押さえつけられて、外れないように挟着される。
【００１２】
このように構成すると、商品カードを手摺りレール６に挿着された薄板状の透明弾性板１０の下に差し込んだり、或いはこの薄板状の透明弾性板１０の上に貼着することができ、従来のプライスカードレールを必要とせず、安価に見栄えよく表示でき、取付も簡単である。
【００１３】
【発明の効果】
以上、説明したように、本発明のショーケースによれば、次のような効果を奏する。
（１）プライスカードレールを取り付けなくとも、透明弾性板のみを取り付けることで、手摺りレールに商品カードを取り付けることができ、安価である。
（２）透明弾性板は着脱自在のため、手摺りレールの清掃が容易である。
（３）ゴミが溜まらない。（溝状の挟持部は下方向に開口している。）
（４）商品カードは透明弾性板の下に差し込まれるか、透明弾性板の上に直接貼られるため、商品カードの幅が限定されない。
（５）商品カードを一旦透明プラスチック板等に貼り付ける必要がない。
（６）商品カードを透明弾性板の下に差し込んで取り付けた場合は、水に濡れることがない。
（７）手摺りレールの材質に影響されない。
【図面の簡単な説明】
【図１】本発明が適用されるオープンショーケースの正面図である。
【図２】本発明が適用されるオープンショーケースの断面側面図である。
【図３】本発明の手摺りレール部の商品カード取付構造を示す断面側面図である。
【図４】手摺りレール部にプライスカードレールをビス又は両面粘着テープで取り付けた従来例を示す断面側面図である。
【図５】手摺りレール部にプライスカードレールを磁石で取り付けた従来例を示す断面側面図である。
【符号の説明】
１  オープンショーケース
２  ケーシング
２ａ  天井部
２ｂ  背面部
２ｃ  底面部
２ｄ  下部前面部
２ｅ  側面部
２ｆ  側面部
３  内部パネル
４  ダクト
５  吹出口
６  手摺りレール
６ａ  平坦傾斜部
６ｂ  挟持部
６ｃ  突起部
６ｄ  段差部
７  吸込口
８  陳列棚
９  床デッキ部
１０  透明弾性板
【図１】
0003611098.tif 000002
【図２】
0003611098.tif 000003
【図３】
0003611098.tif 000004
【図４】
0003611098.tif 000005
【図５】
0003611098.tif 000006